(57)【要約】本発明は、組み込みアンテナ構造体、組み込み電子構成部品構造体、及びその製造方法に関する。本発明の基本概念は、表面仕上げとしての役割を果たす塗装フィルム（３、３ａ＊、３ｂ、３ｃ）を施された、例えば自動車の、プラスチック部品（１、２）に、フィルムに組み込まれた電子構成部品、特に平面状アンテナ構成部又は構造体（４）、を装備することからなる。この目的を達するために、様々な実施変化形態を開示する。
2005538661.tif 000002
【特許請求の範囲】
【請求項１】
組み込みアンテナ構造体であって、プラスチックパネル部品の中への組み込み用で、
表面仕上げとして被覆フィルム（３、３ａ＊、３ｂ、３ｃ；３、３ａ、３ｂ、３ｃ）を装着したパネル部品に、アンテナフィルム（４ａ、４ｂ）の中へ組み込まれたアンテナ構造体が設けられていることを特徴とする組み込みアンテナ構造体。
【請求項２】
前記被覆フィルムは、被覆フィルム支持体層（３ａ＊）と、被覆フィルム着色層（３ｂ）と、被覆フィルム透明被覆層（３ｃ）とを備えた被覆フィルム（３）であり、
前記アンテナフィルムは、アンテナ（４）が中に組み込まれた前記被覆フィルム支持体層（３ａ＊）によって形成され、
基盤層（２）は前記被覆フィルム支持体層（３ａ＊）の中に組み込まれた前記アンテナ構造体の表面上に配置され、次に裏地層（１）が前記基盤層の上に配置され、
前記被覆フィルム支持体層（３ａ＊）の中に組み込まれた前記アンテナ（４）との接触子を形成するための接触層（５）は、前記被覆フィルム支持体層（３ａ＊）と前記基盤層（２）との間に形成されることを特徴とする請求項１に記載の組み込みアンテナ構造体。
【請求項３】
基盤層（２）は前記アンテナフィルム（４ａ）の中に組み込まれた前記アンテナ構造体の表面上に配置され、次に裏地層（１）が前記基盤層の上に配置され、
前記被覆フィルムは、被覆フィルム支持体層（３ａ）と、被覆フィルム着色層（３ｂ）と、被覆フィルム透明被覆層（３ｃ）とを備えた被覆フィルム（３）であり、
前記アンテナフィルム（４ａ）は、前記被覆フィルム支持体層（３ａ）の上に配置され、
前記組み込みアンテナ構造体との接触子を形成するための接触層（５）は、前記アンテナフィルム（４ａ）と前記被覆フィルム支持体層（３ａ）との間に形成されることを特徴とする請求項１に記載の組み込みアンテナ構造体。
【請求項４】
前記アンテナフィルム（４ｂ）の中に組み込まれた前記アンテナ構造体は、基盤層（２）の一表面に埋め込まれ、
裏地層（１）は前記基盤層（２）の反対表面上に配置され、
前記被覆フィルムは、被覆フィルム支持体層（３ａ）と、被覆フィルム着色層（３ｂ）と、被覆フィルム透明被覆層（３ｃ）とを備えた被覆フィルム（３）であり、
前記アンテナフィルム（４ｂ）及び前記基盤層（２）は、前記被覆フィルム支持体層（３ａ）の上に配置され、
前記組み込みアンテナ構造体との接触子を形成するための接触層（５）は、前記アンテナフィルム（４）又は基盤層（２）と前記被覆フィルム支持体層（３ａ）との間に形成されることを特徴とする請求項１に記載の組み込みアンテナ構造体。
【請求項５】
前記アンテナフィルム（４）の中に組み込まれた前記アンテナ構造体は、基盤層（２）の一表面に埋め込まれ、
裏地層（１）は前記基盤層（２）の同じ表面上に配置され、
前記被覆フィルムは、被覆フィルム支持体層（３ａ）と、被覆フィルム着色層（３ｂ）と、被覆フィルム透明被覆層（３ｃ）とを備えた被覆フィルム（３）であり、
前記基盤層（２）は、前記被覆フィルム支持体層（３ａ）の上に配置され、
前記組み込みアンテナ構造体との接触子を形成するための接触層（５）は、前記アンテナフィルム（４ｂ）又は基盤層（２）と前記裏地層（１）との間に形成されることを特徴とする請求項１に記載の組み込みアンテナ構造体。
【請求項６】
組み込みアンテナ構造体を製造する方法であって、
（Ｓ１）  被覆フィルム支持体層（３ａ）と、被覆フィルム着色層（３ｂ）と、被覆フィルム透明被覆層（３ｃ）とを備えた３層被覆フィルム（３）を生成するステップと、
（Ｓ２）  組み込みアンテナ構造体を備えたアンテナフィルム（４ａ；４ｂ）、及び前記組み込みアンテナ構造体との接触子を形成する導体路を含む接触層（５）を生成するステップと、
（Ｓ３）  前記被覆フィルム（３）による表面仕上げと前記アンテナフィルム（４ａ；４ｂ）による機能的装備品を含む構成部品を、熱成形、熱可塑性樹脂による射出バック成形、圧縮射出バック成形、又はフィルムのフォームバッキングを用いて生成し、さらに前記被覆フィルム透明被覆層（３ｃ）の紫外線硬化で終了するステップと、
を特徴とする製造方法。
【請求項７】
組み込みアンテナ構造体の製造方法であって、
（Ｓ１）  連続した変形可能な被覆フィルム支持体層（３ａ＊）であって同時にアンテナフィルムに相当する層に、表面上へ被覆、クラッディング、又は金属被覆することによって、アンテナ（４）と前記アンテナ（４）への接触子を形成するための接触層（５）とを備えたアンテナ構成部を設けるステップと、
（Ｓ２）  被覆フィルム着色層（３ｂ）及び被覆フィルム透明被覆層（３ｃ）を、前記アンテナ構成部を設けた前記表面とは反対側の前記被覆フィルム支持体層（３ａ＊）の表面上に一層ずつ積層するステップと、
（Ｓ３）  前記アンテナ構成部が設けられており、前記被覆フィルム支持体層（３ａ＊）と前記被覆フィルム着色層（３ｂ）と前記被覆フィルム透明被覆層（３ｃ）とによって形成される、前記被覆フィルム（３）を熱成形するステップと、
（Ｓ４）  構成部品主成形を行うステップと、
（Ｓ５）  前記被覆フィルム透明被覆層（３ｃ）を硬化するステップと、
を特徴とする製造方法。
【請求項８】
ステップＳ１とＳ２とが逆の順番で実行されることを特徴とする請求項７に記載の組み込みアンテナ構造体の製造方法。
【請求項９】
前記被覆フィルム透明被覆層は、紫外線の照射によって硬化されることを特徴とする請求項７あるいは８に記載の組み込みアンテナ構造体の製造方法。
【請求項１０】
組み込みアンテナ構造体の製造方法であって、
（Ｓ１）  アンテナ（４）を備えた独立して連続した変形可能なアンテナフィルム（４ａ）及び接触層（５）を、フィルム層を被覆、クラッディング、又は金属被覆することによって、生成するステップと、
（Ｓ２）  被覆フィルム支持体層（３ａ）を被覆フィルム着色層（３ｂ）と被覆フィルム透明被覆層（３ｃ）とで被覆して、被覆フィルム（３）を生成するステップと、
（Ｓ３）  前記被覆フィルム（３）の上に前記アンテナフィルム（４ａ）を積層してフィルム複合体が生成されるステップと、
（Ｓ４）  アンテナフィルム（４ａ）と被覆フィルム（３）を備えた前記フィルム複合体を熱成形するステップと、
（Ｓ５）  構成部品主成形を行うステップと、
（Ｓ６）  紫外線照射を用いて前記被覆フィルム透明被覆層（３ｃ）を硬化するステップと、
を特徴とする製造方法。
【請求項１１】
ステップＳ１とＳ２とが逆の順番で、又は同時に、実行されることを特徴とする請求項１０に記載の組み込みアンテナ構造体の製造方法。
【請求項１２】
組み込みアンテナ構造体の製造方法であって、
（Ｓ１）  被覆フィルム支持体層（３ａ）を、被覆フィルム着色層（３ｂ）と被覆フィルム透明被覆層（３ｃ）とで被覆して、被覆フィルム（３）を生成するステップと、
（Ｓ２）  前記被覆フィルム（３）を熱成形するステップと、
（Ｓ３）  独立した非変形アンテナフィルム（４ｂ）、及び前記アンテナフィルム（４ｂ）に組み込まれたアンテナ（４）との接触子を形成する接触層（５）を、フィルム層を被覆、クラッディング、又は金属被覆することによって、生成するステップと、
（Ｓ４）  前記被覆フィルム（３）の上に前記非変形アンテナフィルム（４ｂ）を積層してフィルム複合体が生成されるステップと、
（Ｓ５）  構成部品主成形を行うステップと、
（Ｓ６）  紫外線照射を用いて前記被覆フィルム透明被覆層（３ｃ）を硬化するステップと、
を特徴とする製造方法。
【請求項１３】
（Ｓ１）  被覆フィルム支持体層（３ａ）を、被覆フィルム着色層（３ｂ）と被覆フィルム透明被覆層（３ｃ）とで被覆して、被覆フィルム（３）を生成するステップと、
（Ｓ２）  前記被覆フィルム（３）を熱成形するステップと、
（Ｓ３）  接触層（５）を備えた独立した非変形アンテナフィルム（４ｂ）を、フィルム層を被覆、クラッディング、又は金属被覆することによって、生成するステップと、
（Ｓ４）  前記被覆フィルム（３）の金型側への投入及び前記非変形アンテナフィルム（４ｂ）の堰側への投入による二重のフィルム適用を含む、構成部品主成形を行うステップと、
（Ｓ６）  紫外線照射を用いて前記被覆フィルム透明被覆層（３ｃ）を硬化するステップと、
を特徴とする製造方法。
【請求項１４】
ステップＳ３がステップＳ１の前に行われることを特徴とする請求項１２あるいは１３に記載の組み込みアンテナ構造体の製造方法。
【請求項１５】
組み込み電子構成部品構造体であって、プラスチックパネル部品への組み込み用であり、請求項１〜５のいずれか一項に記載の組み込みアンテナ構造体を有し、該アンテナ構造体において、前記アンテナ（４）を備えた前記アンテナフィルム（４ａ、４ｂ）又は前記アンテナ（４）が、平坦でフィルム内に組み込み可能な少なくとも１つの電子構成部品で代替される、組み込み電子構成部品構造体。
【請求項１６】
組み込み電子構成部品構造体を製造する方法であって、請求項６〜１４のいずれか一項に記載の方法のステップを有し、前記アンテナ（４）を備えた前記アンテナフィルム（４ａ、４ｂ）又は前記アンテナ（４）が、平坦でフィルム内に組み込み可能な少なくとも１つの電子構成部品で代替される、製造方法。
【発明の詳細な説明】
【技術分野】
【０００１】
本発明は、組み込みアンテナ構造体、特にプラスチックパネル部品である組み込み電子構成部品構造体に組み込まれた自動車用のアンテナ構造体、及びその製造方法に関する。
【背景技術】
【０００２】
特許文献１は、車両の車体構造の構成部品に組み込まれたアンテナについて開示している。このアンテナは、プラスチック上部構造と補強金属下部構造とを備えて製造された車体構造の構成部品に、少なくとも部分的に収容されている。この場合金属下部構造は、アンテナの一部を形成している。
【０００３】
更に、トランクリッドに組み込まれた円筒形のくぼみ上部への渦巻き形アンテナの構成について、非特許文献１に開示されている。
【０００４】
非特許文献２は、金属ルーフの中央への渦巻き形のプリントアンテナの取り付けについて開示している。円筒形の金属のくぼみが、渦巻き形の下面に配置されている。アンテナは、外側を保護層と非金属塗料とで覆われている。
【０００５】
最後に、非特許文献３は、金属製トランクリッドの金属のくぼみへのアンテナの収容について開示しており、その上に渦巻き形アンテナが位置し、アンテナのトップサイドはトランクリッドの表面と等角で、かつ上方から眺めると渦巻き形が目に見える。代わりの方法として、アンテナの渦巻きをプラスチックのテールゲートの下に取り付け、渦巻きの下の面積の広い金属反射板でアンテナを遮蔽することが提案されている。
【０００６】
特許文献２は、フィルムアンテナについて提示しており、このアンテナは、電気的非伝導性の支持体材料と、支持体材料の電気的伝導性被覆として形成された放射要素とを備えている。支持体材料は一面だけが被覆され、その伝導性被覆材は銅を含み、支持体材料はポリイミド又はエポキシガラス繊維フィルムを含む。
【０００７】
しかし、このタイプの組み込みアンテナは複雑で、例えばテールゲート（アンテナの下の金属のくぼみ、内部に積層されたアンテナフィルム及び付加的反射板、等を備えたプラスチックテールゲート）のように特別な外形を要するので、製造にコストがかかり、アンテナが外側から目に見える場合、デザイン性を損なう。他の電子構成部品を例えば自動車のパネル部品の表面に組み込むための解決策は、現在のところ知られていない。
【０００８】
【特許文献１】独国特許出願公開第  １００  ２５  １３０  Ａ１号明細書
【特許文献２】独国特許発明第  ４１  ２１  ３３３  Ｃ２号明細書
【非特許文献１】「移動通信及びナビゲーションのための周波数独立アンテナの概念（Ｆｒｅｑｕｅｎｚｕｎａｂｈａｅｎｇｉｇｅｓ  Ａｎｔｅｎｎｅｎｋｏｎｚｅｐｔ  ｆｕｅｒ  ｍｏｂｉｌｅ  Ｋｏｍｍｕｎｉｋａｔｉｏｎ  ｕｎｄ  Ｎａｖｉｇａｔｉｏｎ）」、Ｅ．ゲシュベントナー（Ｇｅｓｃｈｗｅｎｄｔｎｅｒ）、  Ｗ．ヴィースベック（Ｗｉｅｓｂｅｃｋ）著、専門家の「アンテナ」委員会（Ｔｈｅ“ａｎｔｅｎｎａｓ”  ｃｏｍｍｉｔｔｅｅ  ｏｆ  ｅｘｐｅｒｔｓ）発行、ＩＴＧ  ｉｍ  ＶＤＥ、シュタルンベルグ（Ｓｔａｒｎｂｅｒｇ）において、２０００年１０月１２〜１３日
【非特許文献２】「多機能型等角アンテナの自動車への応用（Ｍｕｌｔｉｆｕｎｃｔｉｏｎ  Ｃｏｎｆｏｒｍａｌ  Ａｎｔｅｎｎａｓ  ｆｏｒ  Ａｕｔｏｍｏｔｉｖｅ  Ａｐｐｌｉｃａｔｉｏｎ）」、クリスチャン・レナード（Ｃｈｒｉｓｔｉａｎ  Ｒｅｎａｒｄ）、ベルナルド・ペルパー（Ｂｅｒｎａｒｄ  Ｐｅｒｐｅｒｅ）著、Ｉｎｇｅｎｉｅｕｒｓ  ｄｅ  ｌ’Ａｕｔｏｍｏｂｉｌｅにおいて、２０００年５月、６８〜７０ページ
【非特許文献３】「自動車への等角組み込みのための広帯域多機能アンテナ（Ｂｒｅｉｔｂａｎｄｉｇｅ  Ｍｕｌｔｉｆｕｎｋｔｉｏｎｓａｎｔｅｎｎｅｎ  ｆｕｅｒ  ｋｏｎｆｏｒｍｅｎ  Ｅｉｎｂａｕ  ｉｎ  Ｋｒａｆｔｆａｈｒｚｅｕｇｅｎ）」、カールスルーエ（Ｋａｒｌｓｒｕｈｅ）大学、Ｉｎｇ．  Ｅ．  ゲシュベントナー（Ｇｅｓｃｈｗｅｎｄｔｎｅｒ）博士著、博士論文、２００１年、１３０〜１４２ページ
【発明の開示】
【発明が解決しようとする課題】
【０００９】
従って、本発明の目的は、組み込みアンテナ構造体と、更にデザイン性を損なわず製造するのに単純でコスト効率の良い、その製造方法とを構成することである。
【課題を解決するための手段】
【００１０】
本発明によると、この目的は、請求項１による組み込みアンテナ構造体、及び請求項１５による組み込み電子構成部品構造体を用いて、並びに請求項６、７、１０、１２、及び１３による組み込みアンテナ構造体の製造方法、及び請求項１６による組み込み電子構成部品構造体の製造方法を用いて達成される。本発明の有利な発展形態は従属項に明記する。
【発明の効果】
【００１１】
その結果、車体構造部品の表面上は目に見えないのでデザイン性を損なうことのない、単純でコスト効率の良い、組み込みアンテナ構造体又は組み込み電子構成部品構造体を得ることが可能となる。
【００１２】
本発明の、これらの及び更なる目的、特徴、利点は、図面と併せて、本発明の好ましい例示された実施形態の以下の記述より明らかとなる。
【発明を実施するための最良の形態】
【００１３】
本発明による組み込みアンテナ構造体の構成及びその製造方法の、４つの異なる例示された実施形態を、例として以下に明記する。組み込みアンテナ構造体は、この場合例として使用される。組み込みアンテナ構造体の代わりに、平面状でフィルム内に組み込み可能な電子構成部品である限り、組み込み電子構成部品を使用することも同様に可能である。
【００１４】
本発明の基本概念は、表面仕上げとして被覆フィルムを装着した、例えば自動車用の、プラスチック構成部品が、電子構成部品、特にフィルムに組み込まれた平面アンテナ構成部もしくは構造体、で装備されることにある。
【００１５】
このようにして、製造コストは削減可能で、デザインの自由度が高まり、貴重な構造空間が節約され、更にモジュール式デザインが促進される。
【００１６】
そのために、アンテナフィルムのプラスチック構成部品への加工工程を統合された適用が、主成形作業中に行われる。
【００１７】
第１の実施形態
本発明の第１の例示された実施形態では、使用される組み込みアンテナ構造体は本発明に従って、以下の通り構成され、図１に示される。
【００１８】
本発明による層の配列は、内側から外側へ向かって以下の通りである。
基盤層２は裏地層１に積層される。被覆フィルム３は、上記基盤層２上に裏地層１とは反対側に形成される。上記被覆フィルム３は、被覆フィルム支持体層３ａ＊と、被覆フィルム着色層３ｂと、被覆フィルム透明被覆層３ｃとを備え、１つの層は他の層の上に形成される。この場合、組み込みアンテナ構造体を形成するアンテナ４は、被覆フィルム支持体層３ａ＊の中に組み込まれる。上記アンテナ４との接触子を形成するため、接触層５が、被覆フィルム支持体層３ａ＊と基盤層２の間に形成される。
【００１９】
ここで、第１の例示された実施形態に従った本発明による組み込みアンテナ構造体の製造方法を、以下に更に詳細に論ずる。
【００２０】
第１のステップで最初に行うのは、連続した変形可能な被覆フィルム支持体層３ａ＊であって同時にアンテナフィルムに相当する層に、表面上へ被覆、クラッディング、又は金属被覆を用いて、アンテナ４とこのアンテナ４への接触子を形成するための接触層５とを備えたアンテナ構成部を設けることである（ステップＳ１）。次に、被覆フィルム着色層３ｂ及び被覆フィルム透明被覆層３ｃが、被覆技術生成を用いて、被覆フィルム支持体層３ａ＊の反対表面上に一層ずつ積層される（ステップＳ２）。これらの層は、アンテナ構成部の生成に先立って積層されてもよく、換言すると、ステップＳ２は、ステップＳ１の前に実施されても問題ない。これにより、被覆フィルム支持体層３ａ＊と、被覆フィルム着色層３ｂと、被覆フィルム透明被覆層３ｃとを備えた被覆フィルム３の生成が完了する。行われる最終加工ステップは、アンテナ４を具備する被覆フィルム３の熱成形（ステップＳ３）と、構成部品主成形（ステップＳ４）と、被覆フィルム透明被覆層３ｃの、例えば紫外線による、硬化（ステップＳ５）とを含む。
【００２１】
第２の実施形態
本発明の第２の例示された実施形態は、組み込みアンテナ構造体の構成と、更にその製造方法の別の実施形態を示す。
【００２２】
最初に、本発明による内側から外側への層配列を更に詳細に説明し、上記層配列を図２に示す。
基盤層２は、裏地層１の上に積層される。変形可能なアンテナフィルム４ａは、その中に相互接続されたアンテナ４が組み込まれており、上記基盤層２の上に裏地層１とは反対側に形成される。接触子形成のため、金属被覆又は接触層５が、個別のアンテナ４を接続する目的でアンテナフィルム４ａの表面上に形成される。次に被覆フィルム３が、上記接触層５ａの上に形成され、上記被覆フィルムは内側から外側へ向かって順に被覆フィルム支持体層３ａと、被覆フィルム着色層３ｂと、被覆フィルム透明被覆層３ｃとを有する。
【００２３】
第２の例示された実施形態による組み込みアンテナ構造体の製造方法を以下に述べる。
【００２４】
第２の例示された実施形態では、第１ステップＳ１は、アンテナ４を備えた独立で連続した変形可能なアンテナフィルム４ａ、及び接触層５の生成を、フィルム層を被覆、クラッディング、又は金属被覆することにより行う。更なるステップＳ２は、第１ステップＳ１と同時あるいは時間をずらして実施してもよく、換言すると第１ステップＳ１の前あるいは後に、被覆フィルム３は被覆技術によって生成される。そのために、被覆フィルム支持体層３ａは、被覆フィルム着色層３ｂ及び被覆フィルム透明被覆層３ｃで被覆される。その後、第３ステップ（Ｓ３）で、アンテナフィルム４ａは、被覆フィルム３の上に貼り合わされる。アンテナフィルム４と被覆フィルム３とを備えたこのフィルム複合物は、次に第４ステップＳ４で共に熱成形される。その後、完結する第５及び第６のステップＳ５、Ｓ６は、構成部品の変形と、例えば紫外線を用いた、被覆フィルム透明被覆層３ｃの硬化とを行う。
【００２５】
第３の実施形態
本発明によるアンテナ構造体と更にその製造方法の別の変化形態を以下に述べる。
【００２６】
図３に示す第３の例示された実施形態による組み込みアンテナ構造体は、裏地１と、基盤２とを備え、この基盤は裏地に積層され、その中には非変形のアンテナフィルム４ｂが選択された領域に埋め込まれる。被覆フィルム支持体層３ａと、被覆フィルム着色層３ｂと、被覆フィルム透明被覆層３ｃとを、この順で備える被覆フィルム３は、上記基盤２の上又はアンテナフィルム４ｂが埋め込まれた領域に形成される。
【００２７】
第３の例示された実施形態によるこのアンテナ構造体の製造方法は、以下のステップを含む。
第１ステップＳ１は、被覆フィルム支持体層３ａを被覆フィルム着色層３ｂ及び被覆フィルム透明被覆層３ｃで被覆することによる被覆技術によって、被覆フィルム３の生成を行う。その後、こうして生成された被覆フィルム３は、ステップＳ２で熱成形される。次にステップＳ３は、独立した非変形アンテナフィルム４ｂ、及びアンテナフィルムに組み込まれたアンテナ４との接触子を形成するための接触層５の生成を、フィルム層を被覆、クラッディング、又は金属被覆することにより行う。代わりの方法として、このステップＳ３は、ステップＳ１の前に実施してもよい。第４ステップＳ４では、非変形アンテナフィルム４ｂが、すでに変形された被覆フィルム３の上に貼り合わされる。最後に、構成部品主成形及び被覆フィルム透明被覆層３ｃの（紫外線）硬化がステップＳ５、Ｓ６で行われる。
【００２８】
第４の実施形態
本発明の第４の例示された実施形態では、アンテナ構造体の構成、特に層配列は、以下の通りであり、図４に示す通りである。
【００２９】
第４の例示された実施形態によるアンテナ構造体は、裏地１と、アンテナ４を備えたアンテナフィルム４ｂのために裏地に積層された接触層５と、その上部に、基盤２とを備えており、この基盤の中には接触層５に向けて選択された領域にアンテナフィルム４ｂが埋め込まれている。被覆フィルム支持体層３ａと、被覆フィルム着色層３ｂと、被覆フィルム透明被覆層３ｃとを、この順で備える被覆フィルム３は、上記基盤２の上に形成される。
【００３０】
第４の例示された実施形態による組み込みアンテナ構造体の製造方法は、以下のステップを有する。
先ず、ステップＳ１で、被覆フィルム支持体層３ａを被覆フィルム着色層３ｂ及び被覆フィルム透明被覆層３ｃで被覆することによる被覆技術によって、被覆フィルム３が生成される。次に被覆フィルム３は、ステップＳ２で熱成形される。最後に、第３ステップＳ３が行うのは、独立した非変形アンテナフィルム４ｂを、その一方の表面上に接触層５を伴って、フィルム層を被覆、クラッディング、又は金属被覆することにより生成することである。次のステップＳ４は、被覆フィルム３の金型側への投入と非変形アンテナフィルム４ｂの金型の堰側への投入とによる二重のフィルム適用を含む構成部品主成形を行う。最後に、被覆フィルム透明被覆層３ｃが、例えば紫外線を用いて、ステップＳ５で硬化される。
【００３１】
上述の方法で構成されかつ生成された第１〜第４の例示された実施形態による組み込みアンテナ構造体を用いて、単純な方法でコスト効率良く、デザイン性に影響を及ぼすことなくかつ構造空間を節約して、アンテナ構造体をプラスチック構成部品の中へこうして組み込むことができる。
【００３２】
アンテナ構造体の代わりに、例えばパネル部品の中へ、平面状でフィルムに組み込み可能である限り、任意の電子構成部品を組み込むことも同様に可能である。
【図面の簡単な説明】
【００３３】
【図１】第１の例示された実施形態による組み込みアンテナ構造体の構成図。
【図２】第２の例示された実施形態による組み込みアンテナ構造体の構成図。
【図３】第３の例示された実施形態による組み込みアンテナ構造体の構成図。
【図４】第４の例示された実施形態による組み込みアンテナ構造体の構成図。
【図１】
2005538661.tif 000003
【図２】
2005538661.tif 000004
【図３】
2005538661.tif 000005
【図４】
2005538661.tif 000006
【手続補正書】
【提出日】平成17年5月11日(2005.5.11)
【手続補正１】
【補正対象書類名】特許請求の範囲
【補正対象項目名】全文
【補正方法】変更
【補正の内容】
【特許請求の範囲】
【請求項１】
組み込みアンテナ構造体であって、プラスチックパネル部品の中への組み込み用で、
表面仕上げとして被覆フィルム（３、３ａ＊、３ｂ、３ｃ；３、３ａ、３ｂ、３ｃ）を装着したパネル部品に、アンテナフィルム（４ａ、４ｂ）の中へ組み込まれたアンテナ構造体が設けられており、
前記被覆フィルムは、被覆フィルム支持体層（３ａ＊）と、被覆フィルム着色層（３ｂ）と、被覆フィルム透明被覆層（３ｃ）とを備えた被覆フィルム（３）であり、
前記アンテナフィルムは、アンテナ（４）が中に組み込まれた前記被覆フィルム支持体層（３ａ＊）によって形成され、
基盤層（２）は前記被覆フィルム支持体層（３ａ＊）の中に組み込まれた前記アンテナ構造体の表面上に配置され、次に裏地層（１）が前記基盤層の上に配置され、
前記被覆フィルム支持体層（３ａ＊）の中に組み込まれた前記アンテナ（４）との接触子を形成するための接触層（５）は、前記被覆フィルム支持体層（３ａ＊）と前記基盤層（２）との間に形成されることを特徴とする組み込みアンテナ構造体。
【請求項２】
組み込みアンテナ構造体の製造方法であって、
表面仕上げとして被覆フィルム（３、３ａ＊、３ｂ、３ｃ；３、３ａ、３ｂ、３ｃ）を装着したパネル部品に、アンテナフィルム（４ａ、４ｂ）の中へ組み込まれたアンテナ構造体が設けられており、
（Ｓ１）  連続した変形可能な被覆フィルム支持体層（３ａ＊）であって同時にアンテナフィルムに相当する層に、表面上へ被覆、クラッディング、又は金属被覆することによって、アンテナ（４）と前記アンテナ（４）への接触子を形成するための接触層（５）とを備えたアンテナ構成部を設けるステップと、
（Ｓ２）  被覆フィルム着色層（３ｂ）及び被覆フィルム透明被覆層（３ｃ）を、前記アンテナ構成部を設けた前記表面とは反対側の前記被覆フィルム支持体層（３ａ＊）の表面上に一層ずつ積層するステップと、
（Ｓ３）  前記アンテナ構成部が設けられており、前記被覆フィルム支持体層（３ａ＊）と前記被覆フィルム着色層（３ｂ）と前記被覆フィルム透明被覆層（３ｃ）とによって形成される、前記被覆フィルム（３）を熱成形するステップと、
（Ｓ４）  構成部品主成形を行うステップと、
（Ｓ５）  前記被覆フィルム透明被覆層（３ｃ）を硬化するステップと、
を特徴とする製造方法。
【請求項３】
ステップＳ１とＳ２とが逆の順番で実行されることを特徴とする請求項３に記載の組み込みアンテナ構造体の製造方法。
【請求項４】
前記被覆フィルム透明被覆層は、紫外線の照射によって硬化されることを特徴とする請求項２あるいは３に記載の組み込みアンテナ構造体の製造方法。
【手続補正３】
【補正対象書類名】明細書
【補正対象項目名】０００１
【補正方法】変更
【補正の内容】
【０００１】
本発明は、組み込みアンテナ構造体及びその製造方法に関する。
【手続補正４】
【補正対象書類名】明細書
【補正対象項目名】０００２
【補正方法】変更
【補正の内容】
【０００２】
特許文献１は、電気的非伝導性素材で構成された自動車部品に組み込まれた少なくとも２つのアンテナ構成部品を有するアンテナ装置について開示している。この場合、複数の個別のアンテナ構成部品は、電気的非伝導性構造体から、好ましくはアンテナフィルムとして、一体的に形成されている。故に上記アンテナフィルムは、自動車部品、例えばプラスチックフェンダ、に単純な方法で、組み込み、つまり取り付けることができる。
特許文献２は、車両アンテナを支受するフェンダについて開示している。この場合、例えばリブ、溝、及び取り付け台の形態で、アンテナ装置を支受するための様々なアンテナ支受位置がフェンダに設けられている。
特許文献３は、組み込みアンテナを備えた車体構造部品について開示している。この場合、組み込みアンテナ装置と支持体となるユニットとを備えた車体構造部品が用意され、そのユニット上にアンテナ装置が着脱可能に配置されている。
特許文献４は、車両の車体構造の構成部品に組み込まれたアンテナについて開示している。このアンテナは、プラスチック上部構造と補強金属下部構造とを備えて製造された車体構造の構成部品に、少なくとも部分的に収容されている。この場合金属下部構造は、アンテナの一部を形成している。
【手続補正５】
【補正対象書類名】明細書
【補正対象項目名】０００６
【補正方法】変更
【補正の内容】
【０００６】
特許文献５は、フィルムアンテナについて提示しており、このアンテナは、電気的非伝導性の支持体材料と、支持体材料の電気的伝導性被覆として形成された放射要素とを備えている。支持体材料は一面だけが被覆され、その伝導性被覆材は銅を含み、支持体材料はポリイミド又はエポキシガラス繊維フィルムを含む。
【手続補正６】
【補正対象書類名】明細書
【補正対象項目名】０００８
【補正方法】変更
【補正の内容】
【０００８】
【特許文献１】独国特許出願公開第  ４２  １５  ６５９  Ａ１号明細書
【特許文献２】独国特許発明第  １９６  ３６  ５８４  Ｃ１号明細書
【特許文献３】独国特許出願公開第  １００  ６０  ６０３  Ａ１号明細書
【特許文献４】独国特許出願公開第  １００  ２５  １３０  Ａ１号明細書
【特許文献５】独国特許発明第  ４１  ２１  ３３３  Ｃ２号明細書
【非特許文献１】「移動通信及びナビゲーションのための周波数独立アンテナの概念（Ｆｒｅｑｕｅｎｚｕｎａｂｈａｅｎｇｉｇｅｓ  Ａｎｔｅｎｎｅｎｋｏｎｚｅｐｔ  ｆｕｅｒ  ｍｏｂｉｌｅ  Ｋｏｍｍｕｎｉｋａｔｉｏｎ  ｕｎｄ  Ｎａｖｉｇａｔｉｏｎ）」、Ｅ．ゲシュベントナー（Ｇｅｓｃｈｗｅｎｄｔｎｅｒ）、  Ｗ．ヴィースベック（Ｗｉｅｓｂｅｃｋ）著、専門家の「アンテナ」委員会（Ｔｈｅ“ａｎｔｅｎｎａｓ”  ｃｏｍｍｉｔｔｅｅ  ｏｆ  ｅｘｐｅｒｔｓ）発行、ＩＴＧ  ｉｍ  ＶＤＥ、シュタルンベルグ（Ｓｔａｒｎｂｅｒｇ）において、２０００年１０月１２〜１３日
【非特許文献２】「多機能型等角アンテナの自動車への応用（Ｍｕｌｔｉｆｕｎｃｔｉｏｎ  Ｃｏｎｆｏｒｍａｌ  Ａｎｔｅｎｎａｓ  ｆｏｒ  Ａｕｔｏｍｏｔｉｖｅ  Ａｐｐｌｉｃａｔｉｏｎ）」、クリスチャン・レナード（Ｃｈｒｉｓｔｉａｎ  Ｒｅｎａｒｄ）、ベルナルド・ペルパー（Ｂｅｒｎａｒｄ  Ｐｅｒｐｅｒｅ）著、Ｉｎｇｅｎｉｅｕｒｓ  ｄｅ  ｌ’Ａｕｔｏｍｏｂｉｌｅにおいて、２０００年５月、６８〜７０ページ
【非特許文献３】「自動車への等角組み込みのための広帯域多機能アンテナ（Ｂｒｅｉｔｂａｎｄｉｇｅ  Ｍｕｌｔｉｆｕｎｋｔｉｏｎｓａｎｔｅｎｎｅｎ  ｆｕｅｒ  ｋｏｎｆｏｒｍｅｎ  Ｅｉｎｂａｕ  ｉｎ  Ｋｒａｆｔｆａｈｒｚｅｕｇｅｎ）」、カールスルーエ（Ｋａｒｌｓｒｕｈｅ）大学、Ｉｎｇ．  Ｅ．  ゲシュベントナー（Ｇｅｓｃｈｗｅｎｄｔｎｅｒ）博士著、博士論文、２００１年、１３０〜１４２ページ
【手続補正７】
【補正対象書類名】明細書
【補正対象項目名】００１０
【補正方法】変更
【補正の内容】
【００１０】
本発明によると、この目的は、請求項１による組み込みアンテナ構造体を用いて、並びに請求項２による組み込みアンテナ構造体の製造方法を用いて達成される。本発明の有利な発展形態は従属項に明記する。

【国際調査報告】
2005538661.tif 000007
2005538661.tif 000008
2005538661.tif 000009
2005538661.tif 000010
2005538661.tif 000011
2005538661.tif 000012
2005538661.tif 000013
2005538661.tif 000014
2005538661.tif 000015
2005538661.tif 000016